【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
マルチビュービデオデータを復号するための方法であって、
前記ビデオデータのコーディングユニット（ＣＵ）に対する視差ベクトルを導出するために、視差ベクトル導出プロセスを実行することと、ここで、前記ＣＵは複数の予測ユニット（ＰＵ）に分割され、ここで、前記ＣＵの前記複数のＰＵの各々は、前記ＣＵのための前記導出された視差ベクトルを共有し、前記視差ベクトル導出プロセスは、前記ＣＵに対して１回のみ呼び出され、ここで、前記視差ベクトル導出プロセスを実行することは、
前記ＣＵの１つまたは複数の隣接ブロックが視差動きベクトルを有するかどうかを決定することと、
前記ＣＵの前記１つまたは複数の隣接ブロックが視差動きベクトルを有するとき、前記視差動きベクトルを前記導出された視差ベクトルに変換することと、を備え、
前記ビデオデータを再構成するためのプロセスの一部として、前記導出された視差ベクトルに基づいて、前記複数のＰＵの２つまたはそれより多くのＰＵに対するビュー間予測を実行することと、
を備える方法。
【請求項２】
前記１つまたは複数の隣接ブロックは複数の隣接ブロックを備え、
前記複数の隣接ブロックは、前記ＣＵに隣接する空間的隣接ブロックと、前記ＣＵの中心と同一の位置にある位置をカバーする時間的隣接ブロックと、前記ＣＵの右真下の位置と同一の位置にある位置をカバーする時間的隣接ブロックとを含み、
前記ＣＵの前記隣接ブロックのうちの１つまたは複数が視差動きベクトルを有するかどうかを決定することは、前記複数の隣接ブロックが空間的視差動きベクトル、暗黙的視差ベクトル、または時間的視差動きベクトルを有するかどうかを決定することを備え、ここで、暗黙的視差ベクトルは、前記隣接ブロックの予測時に前記隣接ブロックについて導出された視差ベクトルである、
請求項１に記載の方法。
【請求項３】
前記２つまたはそれより多くのＰＵに対してビュー間予測を実行することは、前記導出された視差ベクトルに基づいて、前記２つまたはそれより多くのＰＵに対するビュー間動き予測または前記２つまたはそれより多くのＰＵに対するビュー間残差予測とのうちの１つまたは複数を実行することを備える請求項１に記載の方法。
【請求項４】
空間的隣接ブロックが暗黙的視差ベクトル（ＩＤＶ）を含むかどうかを示すために、フラグがシグナリングされない請求項１に記載の方法。
【請求項５】
不正な基準インデックスと、
不正な基準ビューインデックスと、
複数の基準ビューインデックスの不正な差と、のうちの１つは、隣接ブロックに対して暗黙的視差ベクトル（ＩＤＶ）が存在することを示す、請求項１に記載の方法。
【請求項６】
前記視差ベクトル導出プロセスを実行することは、
隣接ブロックについて、第１の基準ピクチャリストに対応する前記隣接ブロックの動きベクトルが視差動きベクトルであるかどうかのみを、前記隣接ブロックが第２の基準ピクチャリストに対応する動きベクトルを有するかどうかに関係なく、チェックすることと、
前記第１の基準ピクチャリストに対応する前記隣接ブロックの前記動きベクトルが視差動きベクトルである場合に、前記視差動きベクトルを前記ＣＵに対する前記導出された視差ベクトルに変換することと、
を備える請求項１に記載の方法。
【請求項７】
マルチビュービデオデータを符号化する方法であって、
前記ビデオデータのコーディングユニット（ＣＵ）に対する視差ベクトルを導出するために、視差ベクトル導出プロセスを実行することと、ここで、前記ＣＵは複数の予測ユニット（ＰＵ）に分割され、ここで、前記ＣＵの前記複数のＰＵの各々は、前記ＣＵのための前記導出された視差ベクトルを共有し、前記視差ベクトル導出プロセスは、前記ＣＵに対して１回のみ呼び出され、ここで、前記視差ベクトル導出プロセスを実行することは、
前記ＣＵの１つまたは複数の隣接ブロックが視差動きベクトルを有するかどうかを決定することと、
前記ＣＵの前記１つまたは複数の隣接ブロックが視差動きベクトルを有するとき、前記視差動きベクトルを前記導出された視差ベクトルに変換することと、を備え、
前記ビデオデータのコーディングされた表現を含むビットストリームを、一部は、前記導出された視差ベクトルに基づいて、前記複数のＰＵの２つまたはそれより多くのＰＵに対するビュー間予測を実行することによって、生成することと、
を備える方法。
【請求項８】
前記１つまたは複数の隣接ブロックは複数の隣接ブロックを備え、
前記複数の隣接ブロックは、前記ＣＵに隣接する空間的隣接ブロックと、前記ＣＵの中心と同一の位置にある位置をカバーする時間的隣接ブロックと、前記ＣＵの右真下の位置と同一の位置にある位置をカバーする時間的隣接ブロックとを含み、
前記ＣＵの前記隣接ブロックのうちの１つまたは複数が視差動きベクトルを有するかどうかを決定することは、前記複数の隣接ブロックが空間的視差動きベクトル、暗黙的視差ベクトル、または時間的視差動きベクトルを有するかどうかを決定することを備え、ここで、暗黙的視差ベクトルは、前記隣接ブロックの予測時に前記隣接ブロックについて導出された視差ベクトルである、
請求項７に記載の方法。
【請求項９】
前記２つまたはそれより多くのＰＵに対してビュー間予測を実行することは、前記導出された視差ベクトルに基づいて、前記２つまたはそれより多くのＰＵに対するビュー間動き予測または前記２つまたはそれより多くのＰＵに対するビュー間残差予測とのうちの１つまたは複数を実行することを備える請求項７に記載の方法。
【請求項１０】
空間的隣接ブロックが暗黙的視差ベクトル（ＩＤＶ）を含むかどうかを示すために、フラグをシグナリングしないことをさらに備える請求項７に記載の方法。
【請求項１１】
隣接ブロックに対して暗黙的視差ベクトル（ＩＤＶ）が存在することを示すために、
不正な基準インデックスと、
不正な基準ビューインデックスと、
基準ビューインデックスの不正な差と、のうちの１つをシグナリングすることをさらに備える請求項７に記載の方法。
【請求項１２】
前記視差ベクトル導出プロセスを実行することは、
隣接ブロックについて、第１の基準ピクチャリストに対応する前記隣接ブロックの動きベクトルが視差動きベクトルであるかどうかのみを、前記隣接ブロックが第２の基準ピクチャリストに対応する動きベクトルを有するかどうかに関係なく、チェックすることと、
前記第１の基準ピクチャリストに対応する前記隣接ブロックの前記動きベクトルが視差動きベクトルである場合に、前記視差動きベクトルを前記ＣＵに対する前記導出された視差ベクトルに変換することと、
を備える請求項７に記載の方法。
【請求項１３】
マルチビュービデオデータのコーディングユニット（ＣＵ）に対する視差ベクトルを導出するために、視差ベクトル導出プロセスを実行するための手段と、ここで、前記ＣＵは複数の予測ユニット（ＰＵ）に分割され、ここで、前記ＣＵの前記複数のＰＵの各々は、前記ＣＵのための前記導出された視差ベクトルを共有し、前記視差ベクトル導出プロセスは、前記ＣＵに対して１回のみ呼び出され、前記視差ベクトル導出プロセスを実行することは、
前記ＣＵの１つまたは複数の隣接ブロックが視差動きベクトルを有するかどうかを決定することと、
前記ＣＵの前記１つまたは複数の隣接ブロックが視差動きベクトルを有するとき、前記視差動きベクトルを前記導出された視差ベクトルに変換することと、を備え、
前記導出された視差ベクトルに基づいて、前記複数のＰＵの２つまたはそれより多くのＰＵに対するビュー間予測を実行するための手段と、
を備えるデバイス。
【請求項１４】
実行されたとき、デバイスに、請求項１〜１２のいずれか一項の前記方法を実行させる命令が記憶されている非一時的なコンピュータ可読データ記憶媒体。